(57)【要約】      （修正有）【課題】視認性の向上を図って賞味期限の管理をすることができるボトルキャップを提供する。【解決手段】ボトルキャップＡは、ボトル１０の開口部１０ａに、凹部１ａを螺入又は嵌入して、ボトル１０の開口部１０ａに取り付けられるボトルキャップＡであって、ボトル１０に入れられるものは、食することができる液体であり、ボトルキャップＡの天井面１２に、ボトル１０の開封日を表示する表示部Ｍ、Ｄを備えているものである。【選択図】図１
0003129455.tif 000002
【実用新案登録請求の範囲】
【請求項１】
ボトルの開口部に、凹部を螺入又は嵌入して、前記ボトルの開口部に取り付けられるボトルキャップであって、
前記ボトルに入れられるものは、食することができる液体であり、
前記ボトルキャップの天井面に、前記ボトルの開封日又は前記ボトルの前記液体の賞味期限を表示する表示部を備えている
ことを特徴とするボトルキャップ。
【請求項２】
ボトルの開口部に、凹部を螺入又は嵌入して、前記ボトルの開口部に取り付けられるボトルキャップであって、
前記ボトルに入れられるものは、食することができる液体であり、
前記ボトルキャップに、前記ボトルの開封日又は前記ボトルの前記液体の賞味期限を表示する表示部を備え、
前記表示部は、日を表示する日表示部と、月を表示する月表示部とからなり、
前記ボトルキャップの天井面に取り付けられた軸と、
この軸に回動自在に取り付けられると共に、前記ボトルキャップの天井面の上に位置する第１の回動部材と、
前記天井面に、日を表示する前記日表示部が設けられ、
前記日表示部を外部から確認できるように、前記第１の回動部材に設けられると共に、前記日表示部に臨むように形成された窓部と、
前記第１の回動部材の上面に、月を表示する前記月表示部が設けられ、
前記軸の先端に回動自在に取り付けられると共に、前記第１の回動部材の上に位置し、前記月表示部の月を示す第２の回動部材とを備えている
ことを特徴とするボトルキャップ。
【請求項３】
ボトルの開口部に、凹部を螺入又は嵌入して、前記ボトルの開口部に取り付けられるボトルキャップであって、
前記ボトルに入れられるものは、食することができる液体であり、
前記ボトルキャップに、前記ボトルの開封日又は前記ボトルの前記液体の賞味期限を表示する表示部を備え、
前記表示部は、日を表示する日表示部と、月を表示する月表示部とからなり、
前記ボトルキャップの天井面に取り付けられた軸と、
この軸に回動自在に取り付けられると共に、前記ボトルキャップの天井面の上に位置する第１の回動部材と、
前記天井面に、月を表示する前記月表示部が設けられ、
前記月表示部を外部から確認できるように、前記第１の回動部材に設けられると共に、前記月表示部に臨むように形成された窓部と、
前記第１の回動部材の上面に、日を表示する前記日表示部が設けられ、
前記軸の先端に回動自在に取り付けられると共に、前記第１の回動部材の上に位置し、前記日表示部の日を示す第２の回動部材とを備えている
ことを特徴とするボトルキャップ。
【請求項４】
第１の回動部材は、円盤状部材であり、
第２の回動部材は、直線状部材である
ことを特徴とする請求項２又は３記載のボトルキャップ。
【請求項５】
ボトルキャップは、ボトルの開口部に、凹部を螺入又は嵌入して、前記ボトルの開口部に取り付けられるボトルキャップ本体と、このボトルキャップ本体の天井面に設けられると共に、前記ボトル内の液体を前記ボトルの外へ流出させる注ぎ口と、このボトルキャップ本体に取り付けられると共に、前記ボトルキャップ本体の天井面の前記注ぎ口を覆う開閉自在な開閉蓋とを有している
ことを特徴とする請求項２又は３記載のボトルキャップ。
【考案の詳細な説明】
【技術分野】
【０００１】
本考案は、ボトルキャップに係り、特に、視認性の向上を図って賞味期限の管理をすることができるボトルキャップに関する。
【背景技術】
【０００２】
従来、賞味期限の管理をすることができる食品保存月日表示器具を食品、保存容器等に保持具を介して取り付けるようにしている（例えば、特許文献１参照）。
しかしながら、上記のものにあっては、食品保存月日表示器具が垂れ下がる関係上、一々食品保存月日表示器具を手にとって見なければ、賞味期限の確認ができず、視認性が良好でないという問題点があった。
【特許文献１】特開２００４−１８４９５３号公報（図１、図６）
【考案の開示】
【考案が解決しようとする課題】
【０００３】
本考案は、前記した問題点を除去するようにしたボトルキャップを提供することを目的としている。
【課題を解決するための手段】
【０００４】
前記した目的を達成するための請求項１記載のボトルキャップは、ボトルの開口部に、凹部を螺入又は嵌入して、前記ボトルの開口部に取り付けられるボトルキャップであって、前記ボトルに入れられるものは、食することができる液体であり、前記ボトルキャップの天井面に、前記ボトルの開封日又は前記ボトルの前記液体の賞味期限を表示する表示部を備えているものである。
【０００５】
また、請求項２記載のボトルキャップは、ボトルの開口部に、凹部を螺入又は嵌入して、前記ボトルの開口部に取り付けられるボトルキャップであって、前記ボトルに入れられるものは、食することができる液体であり、前記ボトルキャップに、前記ボトルの開封日又は前記ボトルの前記液体の賞味期限を表示する表示部を備え、前記表示部は、日を表示する日表示部と、月を表示する月表示部とからなり、前記ボトルキャップの天井面に取り付けられた軸と、この軸に回動自在に取り付けられると共に、前記ボトルキャップの天井面の上に位置する第１の回動部材と、前記天井面に、日を表示する前記日表示部が設けられ、前記日表示部を外部から確認できるように、前記第１の回動部材に設けられると共に、前記日表示部に臨むように形成された窓部と、前記第１の回動部材の上面に、月を表示する前記月表示部が設けられ、前記軸の先端に回動自在に取り付けられると共に、前記第１の回動部材の上に位置し、前記月表示部の月を示す第２の回動部材とを備えているものである。
【０００６】
また、請求項３記載のボトルキャップは、ボトルの開口部に、凹部を螺入又は嵌入して、前記ボトルの開口部に取り付けられるボトルキャップであって、前記ボトルに入れられるものは、食することができる液体であり、前記ボトルキャップに、前記ボトルの開封日又は前記ボトルの前記液体の賞味期限を表示する表示部を備え、前記表示部は、日を表示する日表示部と、月を表示する月表示部とからなり、前記ボトルキャップの天井面に取り付けられた軸と、この軸に回動自在に取り付けられると共に、前記ボトルキャップの天井面の上に位置する第１の回動部材と、前記天井面に、月を表示する前記月表示部が設けられ、前記月表示部を外部から確認できるように、前記第１の回動部材に設けられると共に、前記月表示部に臨むように形成された窓部と、前記第１の回動部材の上面に、日を表示する前記日表示部が設けられ、前記軸の先端に回動自在に取り付けられると共に、前記第１の回動部材の上に位置し、前記日表示部の日を示す第２の回動部材とを備えているものである。
【０００７】
また、請求項４記載のボトルキャップは、請求項２又は３記載のボトルキャップにおいて、第１の回動部材は、円盤状部材であり、第２の回動部材は、直線状部材である。
【０００８】
また、請求項５記載のボトルキャップ、請求項２又は３記載のボトルキャップにおいて、ボトルキャップは、ボトルの開口部に、凹部を螺入又は嵌入して、前記ボトルの開口部に取り付けられるボトルキャップ本体と、このボトルキャップ本体の天井面に設けられると共に、前記ボトル内の液体を前記ボトルの外へ流出させる注ぎ口と、このボトルキャップ本体に取り付けられると共に、前記ボトルキャップ本体の天井面の前記注ぎ口を覆う開閉自在な開閉蓋とを有しているものである。
【考案の効果】
【０００９】
請求項１記載のボトルキャップによれば、ボトルキャップの天井面に、ボトルの開封日又はボトルの液体の賞味期限を表示する表示部を設けたため、従来のように、一々表示部を手に取らなくても、容易にボトルの開封日を表示する表示部を見ることができ、視認性の向上を図って、賞味期限の管理をすることができる。
【００１０】
また、請求項２記載のボトルキャップによれば、ボトルキャップの天井面から視認できるように、第２の回動部材が指し示した月表示部の月により月を、第１の回動部材の窓部を介した日表示部の日により日を、それぞれ、確認することができる。
【００１１】
また、請求項３記載のボトルキャップによれば、ボトルキャップの天井面から視認できるように、第１の回動部材の窓部を介した月表示部の月により月を、第２の回動部材が指し示した日表示部の日により日を、それぞれ確認することができる。
【００１２】
また、請求項５記載のボトルキャップによれば、前述した請求項２又は３記載の考案の効果に加え、使用時、開閉蓋を開いて注ぎ口からボトル内の液体をボトルの外へ流出させることができ、また、不使用時、開閉蓋を閉じて注ぎ口を覆い、注ぎ口が露出することを防いで注ぎ口の衛生面をも向上させることができる 。
【考案を実施するための最良の形態】
【００１３】
本考案の一実施例のボトルキャップを図面を参照して説明する。
図１乃至図７において、Ａはボトルキャップで、ボトルキャップＡは、食することができる液体を収納したボトル１０の開口部１０ａに、取り付けられるものである。
なお、上記液体は、例えば、醤油で、取り付けは、ボトル１０の開口部１０ａに、ボトルキャップ本体１の凹部１ａを螺入（ねじ込んで取り付けること）又は嵌入（嵌め入れること）して行われる。
また、ボトル１０の開口部１０ａに、ボトルキャップＡの凹部１ａのネジ部にボトル１０が螺合しない場合、図８及び図９に示すように、付属のキャップＣを使用することができるようになっている。
【００１４】
ボトルキャップＡの天井面に、図４に示すように、ボトル１０の開封日を表示する表示部Ｍ、Ｄを備えている。この表示部Ｍ、Ｄの表示は、７月２５日となっている。
従って、このボトルキャップＡによれば、ボトルキャップＡの天井面に、ボトル１０の開封日を表示する表示部Ｍ、Ｄを設けたため、従来のように、一々表示部を手に取らなくても、容易にボトル１０の開封日を表示する表示部Ｍ、Ｄを見ることができ、視認性の向上を図って、賞味期限の管理をすることができる。  
なお、上記表示部をボトル１０の開封日としたが、開封日に代えて、該表示部をボトル１０の液体の賞味期限を直接表示するようにしても良い。
【００１５】
また、上述したボトルキャップＡの表示部は、日を表示する日表示部Ｄと、月を表示する月表示部Ｍとからなっている。また、図３に示す１１は、ボトルキャップＡの天井面１２に取り付けられた軸で、第１の回動部材１３は、軸１１に回動自在に取り付けられると共に、ボトルキャップＡの天井面１２の上に位置し、第１の回動部材１３は、例えば、円盤形状となっている（図３〜図５参照）。
また、上述した日表示部Ｄは、天井面１２に設けられ、例えば、１・・・５・・・１０・・・１５・・・２０・・・２５・・・３０・と表示する。１３ａは、第１の回動部材１３に設けられると共に、日表示部Ｄに臨むように形成された窓部で、この窓部１３ａを介して、日表示部Ｄを外部から確認できるようにしてある。
【００１６】
また、上述した月表示部Ｍは、第１の回動部材１３の上面に設けられ、例えば、１月、２月、３月、４月、５月、６月、７月、８月、９月、１０月、１１月、１２月と表示する。１４は、軸１の先端に回動自在に取り付けられると共に、第１の回動部材１３の上に位置し、月表示部Ｍの月を示す第２の回動部材で、第２の回動部材１４は、例えば、直線状部材であり、第２の回動部材１４の先端に近い側に開口した窓部１４ａを設けて、この窓部１４ａを介して、月表示部Ｍを外部から確認できるようにしても良いし、図示しないが第２の回動部材１４の先端で、月を指し示しても良い。  
【００１７】
また、上述した日表示部Ｄを天井面１２に、月表示部Ｍを第１の回動部材１３の上面に、それぞれ設けるようにしたが、図１０に示すように、逆の構成としても良い。
即ち、日表示部Ｄを、第１の回動部材１３の上面に、例えば、１・・・５・・・１０・・・１５・・・２０・・・２５・・・３０・と表示し、軸１１の先端に回動自在に取り付けられれると共に、第１の回動部材１３の上に位置するのは第２の回動部材１４で、日表示部Ｄの日を示すようにする。示し方は、例えば、直線状部材の第２の回動部材１４の先端に近い側に開口した窓部１４ａを設けて、この窓部１４ａを介して、日表示部Ｄを外部から確認できるようにしても良いし、図示しないが第２の回動部材１４の先端で、日を指し示しても良い。
また、月表示部Ｍを、天井面１２に、例えば、１月、２月、３月、４月、５月、６月、７月、８月、９月、１０月、１１月、１２月と表示し、第１の回動部材１３で、月表示部Ｍの月を示すようにする。示し方は、例えば、円盤形状の第１の回動部材１３に開口した窓部１３ａを設けて、この窓部１３ａを介して、月表示部Ｍを外部から確認できるようにしても良い。
【００１８】
なお、ボトルキャップＡは、図１〜図３に示すように、ボトル１０の開口部１０ａに、凹部１ａを螺入又は嵌入して、ボトル１０の開口部１０ａに取り付けられるボトルキャップ本体１と、このボトルキャップ本体１の天井面１２に設けられると共に、ボトル１０内の液体をボトル１０の外へ流出させる注ぎ口１ｃ、１ｄと、このボトルキャップ本体１に取り付けられると共に、ボトルキャップ本体１の天井面１２の注ぎ口１ｃ、１ｄを覆う開閉自在な開閉蓋２とを有している  。
【００１９】
即ち、ボトルキャップ本体１の天井面１２には、図７（ａ）、（ｂ）、（ｃ）に示すように、ボトル１０内の液体をボトル１０の外へ抽出す注ぎ口１ｃ、１ｄが設けられている。
この注ぎ口１ｃと注ぎ口１ｄは、平面視、直線状に設けられ[図７（ａ）参照]、注ぎ口１ｃ、１ｄの開口端部がそれぞれ開口し、該開口部の大きさは、注ぎ口１ｃより注ぎ口１ｄが大となっており、流出量を適宜調整できるようになっている。
【００２０】
また、図７（ａ）、（ｂ）、（ｃ）に示す２は、ボトルキャップ本体１の天井面１２の注ぎ口１ｃ、１ｄを開閉自在に覆う開閉蓋で、開閉蓋２は、ボトルキャップ本体１に取り付けられている。開閉蓋２の下端には、指がかかりやすいように、開閉蓋２の下端縁部より突出する突起２ａが設けられている。
従って、開閉蓋２を開いて注ぎ口１ｃ、１ｄからボトル１０内の液体をボトル１０の外へ流出させて使用し[図３の二点差線の開閉蓋２参照]、不使用時には、開閉蓋２を閉じて注ぎ口１ｃ、１ｄを覆い[図３の実線の開閉蓋２参照]、注ぎ口１ｃ、１ｄが露出することを防いで、注ぎ口１ｃ、１ｄの衛生面を向上させることができる。
【図面の簡単な説明】
【００２１】
【図１】図１は、本考案の一実施例のボトルキャップをボトルに装着する前の状態の概略的斜視図である。
【図２】図２は、図１のボトルキャップをボトルに装着した状態の概略的正面図である。
【図３】図３は、図２の一部の概略的一部断面図である。
【図４】図４は、図１のボトルキャップの概略的平面図である。
【図５】図５は、図４のボトルキャップの天井面を分解して示す概略的分解構成図である。
【図６】図６（ａ）は、矢印方向に第２の回動部材が移動した状態の概略的図であり、図６（ｂ）は、矢印方向に第１の回動部材が移動した状態の概略的図である。
【図７】図７（ａ）は、図１のボトルキャップの開閉蓋を開いた状態の概略的平面図であり、図７（ｂ）は、図７（ａ）のボトルキャップを小さい方の注ぎ口の側から見た概略的側面図であり、図７（ｃ）は、図７（ａ）のボトルキャップを大きい方の注ぎ口の側から見た概略的側面図である。
【図８】図８は、ボトルキャップを付属のキャップを介してボトルに装着する前の状態の概略的斜視図である。
【図９】図９は、図８のボトルキャップを付属のキャップを介してボトルに装着した状態の概略的断面図である。
【図１０】図１０は、 図４のボトルキャップの他の実施例の概略的平面図である。
【符号の説明】
【００２２】
Ａ    …………ボトルキャップ
Ｄ    …………表示部
Ｍ    …………表示部
１ａ  …………凹部
１０  …………ボトル
１０ａ…………開口部
【図１】
0003129455.tif 000003
【図２】
0003129455.tif 000004
【図３】
0003129455.tif 000005
【図４】
0003129455.tif 000006
【図５】
0003129455.tif 000007
【図６】
0003129455.tif 000008
【図７】
0003129455.tif 000009
【図８】
0003129455.tif 000010
【図９】
0003129455.tif 000011
【図１０】
0003129455.tif 000012